(57)【要約】１又はそれ以上のサーバ（１１）は、第１及び第２の無線端末（２Ａ、２Ｂ）の間の通信セッションの要求を第１の無線端末（２Ａ）から受信する。１又はそれ以上のサーバ（１１）は、第１及び第２の無線端末にそれぞれ関連付けられた第１及び第２の優先度のうち一方又は両方に基づいて共通優先度を決定する。さらに、１又はそれ以上のサーバ（１１）は、共に共通優先度を満たす第１及び第２の無線端末（２Ａ、２Ｂ）それぞれのための２つの通信路（４１２、４１３）の確立をセルラー通信ネットワーク（３）に要求する。これにより、例えば、複数のデバイスの間のセルラー通信ネットワークを介するグループ通信セッションを行うために複数のデバイスそれぞれにセルラー通信ネットワーク内で設定される複数のベアラの優先度の調整を可能にできる。
2020194889.tif 000002
【特許請求の範囲】
【請求項１】
１又はそれ以上のサーバを備えるシステムであって、
前記１又はそれ以上のサーバは、
第１の無線端末で実行されているアプリケーションから、セルラー通信ネットワークによって提供される第１の通信路を介して、前記第１の無線端末及び第２の無線端末の間の通信セッションの要求を受信するよう構成され、
前記第１の無線端末に関連付けられた第１の優先度及び前記第２の無線端末に関連付けられた第２の優先度のうち一方又は両方に基づいて、前記通信セッションのために使用される前記第１の無線端末の第２の通信路及び前記第２の無線端末の第３の通信路の両方に適用されるべき共通優先度を決定するよう構成され、
前記共通優先度を満たす前記第２及び第３の通信路の確立を前記セルラー通信ネットワークに要求するよう構成され、
前記第２及び第３の通信路を介して前記通信セッションを前記第１及び第２の無線端末に提供するよう構成される、
システム。
【請求項２】
前記少なくとも１つのサーバは、前記第１の優先度と前記第２の優先度のうち高い方に従って前記共通優先度を決定する、
請求項１に記載のシステム。
【請求項３】
前記少なくとも１つのサーバは、前記第１の優先度に従って前記共通優先度を決定する、
請求項１に記載のシステム。
【請求項４】
前記少なくとも１つのサーバは、前記第２の優先度に従って前記共通優先度を決定する、
請求項１に記載のシステム。
【請求項５】
前記第１及び第２の優先度は、前記通信セッションを利用するアプリケーションに関する、
請求項１〜４のいずれか１項に記載のシステム。
【請求項６】
前記１又はそれ以上のサーバは、第１及び第２のサーバを含み、
前記第１のサーバは、前記通信セッションの前記要求を前記第１の無線端末から受信し、前記通信セッションの確立を前記第２のサーバに要求するよう構成され、
前記第２のサーバは、前記第１のサーバからの前記要求に応答して、前記第１及び第２の優先度を確認し、前記共通優先度を決定し、前記共通優先度を満たす前記第２及び第３の通信路の確立を前記セルラー通信ネットワークに要求するよう構成される、
請求項１〜５のいずれか１項に記載のシステム。
【請求項７】
前記通信セッションは、前記第１及び第２の無線端末の間のpush-to-talk（PTT）セッション又は前記第１及び第２の無線端末を含む複数の無線端末の間のグループ通信セッションであり、
前記第１のサーバは、PTTサーバ又はGroup Communication System Application Server（GCS AS）であり、
前記第２のサーバは、Session Initiation Protocol（SIP）サーバである、
請求項６に記載のシステム。
【請求項８】
前記第１の通信路は、前記第１の無線端末と前記システムとの間でのシグナリングメッセージの転送に使用されるEvolved Packet System（EPS）ベアラであり、
前記第２の通信路は、前記第１の無線端末と前記システムとの間での前記通信セッションに関するデータパケットの転送に使用されるEPSベアラであり、
前記第３の通信路は、前記第２の無線端末と前記システムとの間での前記通信セッションに関するデータパケットの転送に使用されるEPSベアラである、
請求項１〜７のいずれか１項に記載のシステム。
【請求項９】
１又はそれ以上のサーバを備えるシステムにより行われる方法であって、
第１の無線端末で実行されているアプリケーションから、セルラー通信ネットワークによって提供される第１の通信路を介して、前記第１の無線端末及び第２の無線端末の間の通信セッションの要求を受信すること、
前記第１の無線端末に関連付けられた第１の優先度及び前記第２の無線端末に関連付けられた第２の優先度のうち一方又は両方に基づいて、前記通信セッションのために使用される前記第１の無線端末の第２の通信路及び前記第２の無線端末の第３の通信路の両方に適用されるべき共通優先度を決定すること、
前記共通優先度を満たす前記第２及び第３の通信路の確立を前記セルラー通信ネットワークに要求すること、及び
前記第２及び第３の通信路を介して前記通信セッションを前記第１及び第２の無線端末に提供すること、
を備える、方法。
【請求項１０】
前記決定することは、前記第１の優先度と前記第２の優先度のうち高い方に従って前記共通優先度を決定することを含む
請求項９に記載の方法。
【請求項１１】
前記決定することは、前記第１の優先度に従って前記共通優先度を決定することを含む、
請求項９に記載の方法。
【請求項１２】
前記決定することは、前記第２の優先度に従って前記共通優先度を決定することを含む、
請求項９に記載の方法。
【請求項１３】
前記第１及び第２の優先度は、前記通信セッションを利用するアプリケーションに関する、
請求項９〜１２のいずれか１項に記載の方法。
【請求項１４】
前記第１の通信路は、前記第１の無線端末と前記システムとの間でのシグナリングメッセージの転送に使用されるEvolved Packet System（EPS）ベアラであり、
前記第２の通信路は、前記第１の無線端末と前記システムとの間での前記通信セッションに関するデータパケットの転送に使用されるEPSベアラであり、
前記第３の通信路は、前記第２の無線端末と前記システムとの間での前記通信セッションに関するデータパケットの転送に使用されるEPSベアラである、
請求項９〜１３のいずれか１項に記載の方法。
【請求項１５】
１又はそれ以上のコンピュータにより実行されたときに、前記１又はそれ以上のコンピュータに請求項９〜１４のいずれか１項に記載の方法を行わせるよう構成された複数のコンピュータ読み取り可能な命令を備える１又はそれ以上のプログラムのセットを格納した１又はそれ以上の非一時的なコンピュータ可読媒体。
【発明の詳細な説明】
【技術分野】
【０００１】
本開示は、無線通信に関し、特にセルラー通信ネットワークを介した複数の無線端末の間の通信セッションの提供に関する。
【背景技術】
【０００２】
公衆安全ネットワーク（public safety network）のためにLong Term Evolution（LTE）ネットワークを使用することが検討されている。公衆安全ネットワークとは、警察、消防、救急などの緊急サービス、並びに自治体、電力、ガス、水道など公共性の高い用途に使用される無線通信ネットワークである。公衆安全ネットワークのためのLTEシステムは、Public Safety LTE（PS-LTE）と呼ばれる。Third Generation Partnership Project（3GPP）は、PS-LTEの主要な特徴の１つであるMission Critical Push-to-Talk（MCPTT）を定義している（例えば非特許文献１を参照）。MCPTTアーキテクチャは、Group Communication System for LTE（GCSE_LTE）アーキテクチャの特徴（aspect）を使用し、さらにIP Multimedia Subsystem（IMS）アーキテクチャ及びProximity-based Services（ProSe）アーキテクチャの特徴（aspect）を使用する。GCSE_LTEは、グループ通信（group communication）を可能とする（例えば非特許文献２を参照）。【０００３】
PS-LTEネットワーク又はシステムは、LTEネットワーク上でパブリックセーフティ・サービスを提供するために必要なアプリケーション（applications）、サービス（services）、能力（capabilities）、及び機能（functionalities）を提供するハードウェア・エンティティ（hardware entities）の集まり（collection）であると言うことができる。PS-LTEネットワーク又はシステムは、公衆LTEネットワーク（Public Land Mobile Network（PLMN））、プライベートLTEネットワーク、又はこれらの組み合わせであってもよい。【０００４】
PS-LTEは、パブリックセーフティ・サービス、例えばPTT serviceを提供する。PTT serviceは、早いセットアップ時間（fast setup times）、高可用性（high availability）、 信頼性（reliability）及び優先度ハンドリング（priority handling）により、パブリックセーフティ組織（Mission Critical Organizations）のための用途（applications）並びに他の企業（businesses）及び組織（organizations）（e.g., 公益企業（public utilities）、鉄道会社（railways））のための用途をサポートするPush To Talk通信サービスである。パブリックセーフティ組織は、例えば、地域警察署（local police department）、及び地域消防署（local fire department）を含む。【０００５】
パブリックセーフティ・サービス（e.g., PTT service）を利用するユーザ（e.g., PTT user）は、パブリックセーフティ・サービスに参加するための能力（capability）を有する無線端末又はデバイス（e.g., PS User Equipment (UE)）を使用する。このようなデバイス（e.g., PS UE）は、パブリックセーフティ・サービスに参加することをユーザに可能にする。パブリックセーフティ・サービス・ユーザは、例えば、警察官及び消防士を含む。【０００６】
パブリックセーフティ・サービスプロバイダは、パブリックセーフティ組織に提供されるパブリックセーフティ・サービス（e.g., PTT service）のパラメータ（parameters）をコントロールする権限を与えられる。これらのパラメータは、例えば、ユーザ及びグループの定義、ユーザ優先度（user priorities）、グループ・メンバーシップ／優先度（priorities）／階層（hierarchies）、並びにセキュリティ及びプライバシー制御を含む。パブリックセーフティ・サービス・プロバイダは、パブリックセーフティ・サービス・アドミニストレータと呼ぶこともできる。【０００７】
パブリックセーフティ・サービス・ユーザ、パブリックセーフティ組織、及びパブリックセーフティ・サービス・プロバイダのビジネス関係（business relationships）は次のとおりである。パブリックセーフティ・サービス・ユーザは、ユーザ契約（agreement）に基づいて１つのパブリックセーフティ組織に属する。パブリックセーフティ組織は、サービス契約（agreement）に基づいて、パブリックセーフティ・サービス・プロバイダからパブリックセーフティ・サービスの提供を受ける。なお、パブリックセーフティ・サービス・ユーザは、パブリックセーフティ・サービスプロバイダとの直接的なユーザ契約及びサービス契約を持つこともできる。パブリックセーフティ組織及びパブリックセーフティ・サービス・プロバイダは、同じ組織の一部であってもよい。さらに又はこれに代えて、パブリックセーフティ・サービス・プロバイダ及びPS-LTEネットワーク・オペレータは、同じ組織の一部であってもよい。
【先行技術文献】
【非特許文献】
【０００８】
【非特許文献１】3GPP TS 23.179 V13.5.0 (2017-03), “3rd Generation Partnership Project; Technical Specification Group Services and System Aspects; Functional architecture and information flows to support mission critical communication services; Stage 2 (Release 13)”, March 2017
【非特許文献２】3GPP TS 23.468 V15.0.0 (2017-12), “3rd Generation Partnership Project;Technical Specification Group Services and System Aspects; Group Communication System Enablers for LTE (GCSE_LTE); Stage 2 (Release 15)”, December 2017
【発明の概要】
【発明が解決しようとする課題】
【０００９】
パブリックセーフティ・サービスを提供するPS-LTEネットワーク又はシステムでは、ビジネス関係に関する様々な階層での優先度ハンドリングが必要とされる。具体的には、例えば、複数のパブリックセーフティ組織の間、複数のパブリックセーフティ・サービス・ユーザ（又はデバイス（UEs））の間、及び複数のパブリックセーフティ・サービス・アプリケーションの間での優先度ハンドリングが必要とされる。複数のパブリックセーフティ・サービス・アプリケーションは、例えば、PTTアプリケーション、push-to-videoアプリケーション、ボイス通話アプリケーション、ビデオ通話アプリケーション、及びインスタント・メッセージング・アプリケーションを含む。【００１０】
PS-LTEネットワーク又はシステムは、複数のデバイス（UEs）の間のグループ通信セッション（e.g., PTT、push-to-video、ボイス通話、又はインスタント・メッセージングのための通信セッション）をLTEネットワークを介して提供する。このようなグループ通信セッションは、複数のデバイス（UEs）それぞれにLTEネットワーク内で設定される複数のベアラ（i.e., Evolved Packet System（EPS）ベアラ）を利用する。この場合、例えば、グループ通信セッションに関与する複数のユーザ又は複数のデバイスの優先度が互いに異なると、複数のデバイスのための複数のEPSベアラの優先度も互いに異なるかもしれない。EPSベアラの優先度は、例えば、Quality of Service (QoS) Class Identifier（QCI）若しくはAllocation and Retention Priority（ARP）又は両方を含む。そうすると、デバイス間のエンドツーエンド通信は所望の優先度を得られない可能性がある。【００１１】
本明細書に開示される実施形態が達成しようとする目的の１つは、複数のデバイスの間のセルラー通信ネットワークを介するグループ通信セッションを行うために複数のデバイスそれぞれにセルラー通信ネットワーク内で設定される複数のベアラの優先度の調整を可能にする装置、方法、及びプログラムを提供することである。なお、この目的は、本明細書に開示される複数の実施形態が達成しようとする複数の目的の１つに過ぎないことに留意されるべきである。その他の目的又は課題と新規な特徴は、本明細書の記述又は添付図面から明らかにされる。
【課題を解決するための手段】
【００１２】
第１の態様では、システムは、１又はそれ以上のサーバを含む。これら１又はそれ以上のサーバは、第１の無線端末で実行されているアプリケーションから、セルラー通信ネットワークによって提供される第１の通信路を介して、前記第１の無線端末及び第２の無線端末の間の通信セッションの要求を受信するよう構成される。これら１又はそれ以上のサーバは、前記第１の無線端末に関連付けられた第１の優先度及び前記第２の無線端末に関連付けられた第２の優先度のうち一方又は両方に基づいて、前記通信セッションのために使用される前記第１の無線端末の第２の通信路及び前記第２の無線端末の第３の通信路の両方に適用されるべき共通優先度を決定するよう構成される。さらに、これら１又はそれ以上のサーバは、前記共通優先度を満たす前記第２及び第３の通信路の確立を前記セルラー通信ネットワークに要求するよう構成される。さらにまた、これら１又はそれ以上のサーバは、前記第２及び第３の通信路を介して前記通信セッションを前記第１及び第２の無線端末に提供するよう構成される。【００１３】
第２の態様では、１又はそれ以上のサーバを含むシステムにより行われる方法は、以下を含む：
（ａ）第１の無線端末で実行されているアプリケーションから、セルラー通信ネットワークによって提供される第１の通信路を介して、前記第１の無線端末及び第２の無線端末の間の通信セッションの要求を受信すること、
（ｂ）前記第１の無線端末に関連付けられた第１の優先度及び前記第２の無線端末に関連付けられた第２の優先度のうち一方又は両方に基づいて、前記通信セッションのために使用される前記第１の無線端末の第２の通信路及び前記第２の無線端末の第３の通信路の両方に適用されるべき共通優先度を決定すること、
（ｃ）前記共通優先度を満たす前記第２及び第３の通信路の確立を前記セルラー通信ネットワークに要求すること、及び
（ｄ）前記第２及び第３の通信路を介して前記通信セッションを前記第１及び第２の無線端末に提供すること。【００１４】
第３の態様では、プログラムは、コンピュータに読み込まれた場合に、上述の第２の態様に係る方法をコンピュータに行わせるための命令群（ソフトウェアコード）を含む。
【発明の効果】
【００１５】
上述の態様によれば、複数のデバイスの間のセルラー通信ネットワークを介するグループ通信セッションを行うために複数のデバイスそれぞれにセルラー通信ネットワーク内で設定される複数のベアラの優先度の調整を可能にする装置、方法、及びプログラムを提供できる。
【図面の簡単な説明】
【００１６】
【図１】幾つかの実施形態に係るセルラー通信ネットワークの構成例を示すブロックである。
【図２】幾つかの実施形態に係るネットワークプラットフォームの構成例を示すブロックである。
【図３】第１の実施形態に係るネットワークプラットフォームの動作の一例を示すフローチャートである。
【図４】第１の実施形態に係るグループ通信セッションの確立手順の一例を示すシーケンス図である。
【図５】第２の実施形態に係るネットワークプラットフォームの動作の一例を示すシーケンス図である。
【図６】第３の実施形態に係るネットワークプラットフォームの動作の一例を示すシーケンス図である。
【図７】幾つかの実施形態に係るサーバの構成例を示すブロック図である。
【図８】幾つかの実施形態に係る無線端末の構成例を示すブロック図である。
【発明を実施するための形態】
【００１７】
以下では、具体的な実施形態について、図面を参照しながら詳細に説明する。各図面において、同一又は対応する要素には同一の符号が付されており、説明の明確化のため、必要に応じて重複説明は省略される。
【００１８】
＜第１の実施形態＞
図１は、本実施形態を含む幾つかの実施形態に係るPS-LTEネットワーク又はシステムの構成例を示している。PS-LTEネットワーク又はシステムは、１又はそれ以上のパブリックセーフティ・サービス（e.g., PTTサービス）を提供する。図１の例では、PS-LTEネットワークは、ネットワークプラットフォーム１及びLTEネットワーク３を含む。ネットワークプラットフォーム１は、LTEネットワーク３によって提供される１又はそれ以上の通信路を介して、複数の無線端末（UEs）２の各々で実行されている１又はそれ以上のアプリケーション（e.g., PTTクライアント・アプリケーション、及びSession Initiation Protocol（SIP）クライアント・アプリケーション）と通信する。言い換えると、ネットワークプラットフォーム１は、アプリケーションドメインの複数の機能的エンティティを含み、アプリケーションレイヤ（又はアプリケーションサービスレイヤ）においてUEs２と通信する。UEs２は、公共安全（public safety）デバイスとも呼ばれる。
【００１９】
ネットワークプラットフォーム１は、１又はそれ以上のサーバを含む。ネットワークプラットフォーム１に含まれる各サーバは、１又はそれ以上のコンピュータであってもよい。例えば、図２に示されるように、ネットワークプラットフォーム１は、PSサーバ１１、PSユーザデータベース１２、及びSIPコア１３を含んでもよい。PSサーバ１１は、PSサービス（e.g., PTTサービス、push-to-videoサービス）のための集中型（centralized）サポートを提供する。より具体的には、PSサーバ１１は、例えば、PSユーザ認証、UEs２（PS UEs）の位置の追跡（track）を維持すること、及びセルラー通信ネットワークのリソースのUEs２への割り当てを要求することを担当する。PSサーバ１１は、GCSアプリケーションサーバ（AS）の機能を包含してもよい。PSユーザデータベース１２は、PS user profileの情報を包含する。PS user profileは、パブリックセーフティ組織、パブリックセーフティ・サービス・プロバイダ、及び潜在的に（potentially）パブリックセーフティ・サービス・ユーザにより決定される。SIPコア１３は、SIP registrationを担当し、SIP signalling bearer を確立し、各UE２（各UE２上のSIPクライアント）との間でSIPシグナリングメッセージを送受信する。PSユーザデータベース１２は、ネットワークプラットフォーム１外の装置であってもよい。
【００２０】
さらに又はこれに代えて、ネットワークプラットフォーム１は、他のサーバを含んでもよい。例えば、ネットワークプラットフォーム１は、これらに限定されないが、GCSアプリケーションサーバ（AS）を含んでもよいし、SIPデータベースを含んでもよい。GCS ASは、EPS bearer service又はMBMS bearer service を利用して、UEsのグループへのアプリケーション・シグナリングの転送およびアプリケーション・データの配信を行う。SIPデータベースは、SIPコア１３により必要とされるSIP加入者情報（SIP subscriptions）及び認証情報を包含する。
【００２１】
LTEネットワーク３は、コアネットワーク（i.e., Evolved Packet Core（EPC））３１及び無線アクセスネットワーク（i.e., Evolved Universal Terrestrial Radio Access Network（E-UTRAN））３２を含む。EPC３１は、複数のノードを含み、これらは複数のコントールプレーン・ノード及び複数のユーザプレーン（又はデータプレーン）ノードを含む。EPC３１内の１又はそれ以上のノードはコントールプレーン機能及びユーザプレーン機能の両方を有してもよい。例えば、図１に示されるように、EPC３１は、Packet Data Network Gateway（P-GW）３１１、Serving Gateway（S-GW）３１２、Mobility Management Entity３１３、Home Subscriber Server（HSS）３１４、Policy and Charging Rules Function（PCRF）３１５、Broadcast Multicast Service Center（BM-SC）３１６、及びMBMS Gateway（MBMS GW）３１７を含んでもよい。E-UTRAN３２は、基地局（eNodeB（eNB））３２１を含む。図１には明示されていないが、当然に、EPC３１は複数のS-GW３１２を含んでもよく、E-UTRAN３２は複数のeNB３２１を含んでもよい。
【００２２】
図３は、本実施形態に係るネットワークプラットフォーム１の動作の一例を示している。図３に示された動作は、ネットワークプラットフォーム１内の１つのサーバ（e.g., PSサーバ１１）により行われてもよいし、複数のサーバ（e.g., PSサーバ１１及びPSユーザデータベース１２）により行われてもよい。
【００２３】
ステップ３０１では、ネットワークプラットフォーム１は、呼び出し元（caller）UE２Ａで実行されているアプリケーションから、SIPシグナリングのためのEPSベアラを介して、通信セッションの要求を受信する。UE２Ａで実行されているアプリケーションは、例えば、PTTアプリケーション・クライアント、又はSIPアプリケーション・クライアントであってもよい。当該通信セッションは、caller UE２Ａ及び呼び出し先（callee）UE２Ｂの間のグループ通信セッションである。当該通信セッションは、例えば、PTT、push-to-video、ボイス通話、又はインスタント・メッセージングのための通信セッションであってもよい。SIPシグナリングのためのEPSベアラは、UE２ＡのためにLTEネットワーク３により設定されたデフォルトベアラであってもよい。
【００２４】
ステップ３０２では、ネットワークプラットフォーム１は、caller UE２Ａに関連付けられた優先度及びcallee UE２Ｂに関連付けられた優先度のうち一方又は両方を取得する。UE２Ａ及びUE２Ｂのそれぞれの優先度は、組織優先度、デバイス優先度、及びアプリケーション優先度のうち１つ又は任意の組み合わせであってもよい。
【００２５】
組織優先度は、PS-LTEネットワークによって提供されるパブリックセーフティ・サービスを使用する複数のパブリックセーフティ組織（e.g., 複数の地域警察署及び複数の地域消防署）の各々の優先度（優先度レベル）である。組織優先度は、これら複数のパブリックセーフティ組織の間の優先度ハンドリングのために使用される。
【００２６】
デバイス優先度は、１つのパブリックセーフティ組織に属する各ユーザによって使用される各UE２の優先度（優先度レベル）である。デバイス優先度は、複数のUEs２の間の優先度ハンドリングのために使用される。
【００２７】
アプリケーション優先度は、各UE２上で実行される各パブリックセーフティ・サービス・アプリケーション（又は各UE２に提供される各アプリケーションサービス）の優先度（優先度レベル）である。アプリケーション優先度は、複数のアプリケーションの間の優先度ハンドリングのために使用される。複数のパブリックセーフティ・サービス・アプリケーションは、例えば、PTTアプリケーション、push-to-videoアプリケーション、ボイス通話アプリケーション、ビデオ通話アプリケーション、及びインスタント・メッセージング・アプリケーションの任意の組み合わせを含む。
【００２８】
ネットワークプラットフォーム１は、caller UE２Ａに関連付けられた優先度及びcallee UE２Ｂに関連付けられた優先度のうち一方又は両方に基づいて、要求された通信セッションのために使用されるcaller UE２ＡのEPSベアラ及びcallee UE２ＢのEPSベアラに適用されるべき共通優先度を決定する。これらのEPSベアラは、caller UE２Ａ及びcallee UE２Ｂの間のグループ通信セッションのためにcaller UE２Ａ及びcallee UE２ＢそれぞれにLTEネットワーク３内で設定される。これらのEPSベアラは、caller UE２Ａ及びcallee UE２Ｂそれぞれのデフォルトベアラ加えて設定される個別（dedicated）ベアラであってもよい。
【００２９】
幾つかの実装において、ネットワークプラットフォーム１は、パブリックセーフティ・サービス・ユーザの情報を管理するサーバから、組織優先度、デバイス優先度、及びアプリケーション優先度を取得してもよい。当該サーバは、例えば、PSユーザデータベース１２、HSS３１４、図示されていないSIPデータベース、又は図示されていないSubscription Profile Repository（SPR）であってもよい。
【００３０】
共通優先度は、アプリケーションレイヤの優先度（例えば、組織優先度、デバイス優先度、又はアプリケーション優先度を示してもよい。この場合、ネットワークプラットフォーム１が共通優先度をさらにEPSベアラ優先度（e.g., QCI値若しくはARP値又は両方）に変換してもよいし、EPC３１内の制御ノード（e.g., PCRF３１５）が共通優先度をEPSベアラの優先度に変換してもよい。これに代えて、共通優先度は、EPSベアラ優先度を示してもよい。
【００３１】
幾つかの実装において、ネットワークプラットフォーム１は、caller UE２Ａに関連付けられた優先度及びcallee UE２Ｂに関連付けられた優先度のうち高い方に従って共通優先度を決定してもよい。より具体的には、ネットワークプラットフォーム１は、共通優先度を、caller UE２Ａに関連付けられた優先度及びcallee UE２Ｂに関連付けられた優先度のうち高い方に等しくセットしてもよい。
【００３２】
これに代えて、ネットワークプラットフォーム１は、caller UE２Ａに関連付けられた優先度に従って共通優先度を決定してもよい。より具体的には、ネットワークプラットフォーム１は、共通優先度を、caller UE２Ａに関連付けられた優先度に等しくセットしてもよい。
【００３３】
これに代えて、ネットワークプラットフォーム１は、callee UE２Ｂに関連付けられた優先度に従って共通優先度を決定してもよい。より具体的には、ネットワークプラットフォーム１は、共通優先度を、callee UE２Ｂに関連付けられた優先度に等しくセットしてもよい。
【００３４】
ステップ３０３では、ネットワークプラットフォーム１は、決定された共通優先度を満たす２つのEPSベアラの確立をLTEネットワーク３に要求する。なお、グループ通信のための個別ベアラが既に確立されている場合、ステップ３０３の要求は、既に確立されている個別ベアラの修正（modification）の要求であってもよい。ネットワークプラットフォーム１は、EPC３１内の制御ノード（e.g., PCRF３１５）にステップ３０３の要求を送ってもよい。
【００３５】
ステップ３０４では、ネットワークプラットフォーム１は、LTEネットワーク３により確立（又は修正）された２つのEPSベアラを介して、グループ通信セッションをUE２Ａ及びUE２Ｂに提供する。
【００３６】
図４は、本実施形態に係るグループ通信セッションの確立手順の一例を示すシーケンス図である。ステップ４０１では、caller UE２Ａで実行されているアプリケーションは、SIPシグナリングのためのEPSベアラ４１１を介して、caller UE２Ａ及びcallee UE２Ｂの間のグループ通信セッションの要求（e.g., PTT CALL SESSION REQUEST）をネットワークプラットフォーム１に送信する。
【００３７】
当該要求に応答して、ネットワークプラットフォーム１は、caller UE２Ａに関連付けられた優先度及びcallee UE２Ｂに関連付けられた優先度のうち一方又は両方を取得する。そして、ネットワークプラットフォーム１は、要求された通信セッションのために使用されるcaller UE２ＡのEPSベアラ４１２及びcallee UE２ＢのEPSベアラ４１３に適用されるべき共通優先度を決定する。
【００３８】
ステップ４０２では、ネットワークプラットフォーム１は、サービス情報を包含するシグナリングメッセージをEPC３１内のPCRF３１５に送る。当該サービス情報は、共通優先度を示し、共通優先度に基づく２つのEPSベアラ４１２及び４１３の確立（又は修正）をPCRF３１５にトリガーする。なお、ネットワークプラットフォーム１は、EPSベアラ４１２及び４１３それぞれの確立（又は修正）のための２つのシグナリングメッセージをPCRF３１５に送ってもよい。
【００３９】
上述のように、共通優先度は、アプリケーションレイヤの優先度（例えば、組織優先度、デバイス優先度、又はアプリケーション優先度を示してもよい。この場合、ネットワークプラットフォーム１が共通優先度をさらにEPSベアラ優先度（e.g., QCI値若しくはARP値又は両方）に変換してもよいし、EPC３１内の制御ノード（e.g., PCRF３１５）が共通優先度をEPSベアラの優先度に変換してもよい。これに代えて、共通優先度は、EPSベアラ優先度を示してもよい。
【００４０】
ステップ４０３では、PCRF３１５は、ネットワークプラットフォーム１からのトリガーに応答して、caller UE２ＡのためのEPSベアラ（個別ベアラ）４１２の確立又は修正手順を実行する。具体的には、PCRF３１５は、共通優先度（又はこれに関連付けられた共通EPSベアラ優先度）を満たすEPSベアラ４１２の確立をP-GW３１１（policy and charging enforcement function（PCEF））に要求する。P-GW３１１は、PCRF３１５からの要求に応答して個別ベアラの作成（又は修正）をS-GW３１２に要求し、個別EPSベアラ４１２の作成（又は修正）手順を開始する。これにより、共通優先度に関連付けられた個別EPSベアラ４１２が、P-GW３１１とUE２Ａの間に、S-GW３１２、及びeNB３２１を通って確立される。
【００４１】
ステップ４０４では、EPSベアラ（個別ベアラ）４１２と同様に、共通優先度に関連付けられた個別EPSベアラ４１３が、P-GW３１１とUE２Ａの間に、S-GW３１２、及びeNB３２１を通って確立される。なお、EPSベアラ４１３が通るS-GW３１２及びeNB３２１は、EPSベアラ４１２が通るそれらと異なってもよい。
【００４２】
ステップ４０５及び４０６では、ネットワークプラットフォーム１は、共通優先度に関連付けられた個別EPSベアラ４１２及び４１３を介して、グループ通信セッションをUEs２Ａ及び２Ｂに提供する。
【００４３】
上述の動作によれば、ネットワークプラットフォーム１は、UEs２Ａ及び２Ｂの間のグループ通信セッションを行うために複数のデバイスそれぞれにLTEネットワーク３内で設定される複数のベアラに共通優先度を適用することができる。したがって、UEs２Ａ及び２Ｂの間のエンドツーエンド通信は所望の（共通）優先度を得ることができる。
【００４４】
＜第２の実施形態＞
本実施形態は、第１の実施形態で説明されたネットワークプラットフォーム１の動作の具体例を提供する。本実施形態に係るPS-LTEネットワークの構成例は、図１及び図２に示された例と同様である。
【００４５】
本実施形態では、PSサーバ１１は、caller UE２Ａ及びcallee UE２Ｂにそれぞれ関連付けられた２つの優先度のうち一方又は両方を取得し、共通優先度を決定し、共に共通優先度に関連付けられたUE２Ａ及びUE２Ｂのための２つのEPSベアラの作成をトリガーするためにLTEネットワーク３（PCRF３１５）にサービス情報を送る。
【００４６】
一例では、PSサーバ１１は、caller UE２Ａ及びcallee UE２Ｂにそれぞれ関連付けられた２つの優先度のうち一方又は両方をPSユーザデータベース１２から取得してもよい。これに代えて、PSサーバ１１は、これら２つの優先度のうち一方又は両方を、SIPコア１３、HSS３１４、図示されていないSIPデータベース、又は図示されていないSPRから取得してもよい。
【００４７】
図５は、本実施形態に係るネットワークプラットフォーム１の動作の一例を示している。ステップ５０１では、PSサーバ１１は、caller UE２Ａ及びcallee UE２Ｂの間のグループ通信セッションの要求（e.g., PTT CALL SESSION REQUEST）をcaller UE２Ａから受信する。ステップ５０２では、PSサーバ１１は、優先度情報の要求をPSユーザデータベース１２に送る。当該要求は、caller UE２Ａ及びcallee UE２Ｂにそれぞれ関連付けられた２つの優先度のうち一方又は両方に関する。ステップ５０３では、PSユーザデータベース１２は、２つの優先度のうち一方又は両方を示す返信をPSサーバ１１に送る。ステップ５０４では、PSサーバ１１は、共通優先度を決定し、共に共通優先度に関連付けられたUE２Ａ及びUE２Ｂのための２つのEPSベアラの作成をトリガーするためにLTEネットワーク３（PCRF３１５）にサービス情報を送る。
【００４８】
上述の動作によれば、PSサーバ１１は、PSユーザデータベース１２（又は他のサーバ若しくはデータベース）と連携し、UEs２Ａ及び２Ｂの間のグループ通信セッションを行うために複数のデバイスそれぞれにLTEネットワーク３内で設定される複数のベアラに共通優先度を適用することができる。
【００４９】
＜第３の実施形態＞
本実施形態は、第１の実施形態で説明されたネットワークプラットフォーム１の動作の具体例を提供する。本実施形態に係るPS-LTEネットワークの構成例は、図１及び図２に示された例と同様である。
【００５０】
本実施形態では、
PSサーバ１１は、SIPコア１３は、caller UE２Ａ及びcallee UE２Ｂにそれぞれ関連付けられた２つの優先度のうち一方又は両方を取得し、共通優先度を決定し、共に共通優先度に関連付けられたUE２Ａ及びUE２Ｂのための２つのEPSベアラの作成をトリガーするためにLTEネットワーク３（PCRF３１５）にサービス情報を送る。
【００５１】
一例では、SIPコア１３は、caller UE２Ａ及びcallee UE２Ｂにそれぞれ関連付けられた２つの優先度のうち一方又は両方をSIPデータベースから取得してもよい。これに代えて、PSサーバ１１は、これら２つの優先度のうち一方又は両方を、HSS３１４又は図示されていないSPRから取得してもよい。
【００５２】
図６は、本実施形態に係るネットワークプラットフォーム１の動作の一例を示している。ステップ６０１では、PSサーバ１１は、caller UE２Ａ及びcallee UE２Ｂの間のグループ通信セッションの要求（e.g., PTT CALL SESSION REQUEST）をcaller UE２Ａから受信する。ステップ６０２では、通信セッションの要求をSIPコア１３に送る。ステップ６０３では、SIPコア１３は、優先度情報の要求をSIPデータベース１４に送る。当該要求は、caller UE２Ａ及びcallee UE２Ｂにそれぞれ関連付けられた２つの優先度のうち一方又は両方に関する。ステップ６０４では、SIPデータベース１４は、２つの優先度のうち一方又は両方を示す返信をSIPコア１３に送る。ステップ６０５では、SIPコア１３は、共通優先度を決定し、共に共通優先度に関連付けられたUE２Ａ及びUE２Ｂのための２つのEPSベアラの作成をトリガーするためにLTEネットワーク３（PCRF３１５）にサービス情報を送る。
【００５３】
上述の動作によれば、SIPコア１３は、SIPデータベース１４（又は他のサーバ若しくはデータベース）と連携し、UEs２Ａ及び２Ｂの間のグループ通信セッションを行うために複数のデバイスそれぞれにLTEネットワーク３内で設定される複数のベアラに共通優先度を適用することができる。
【００５４】
続いて以下では、上述の実施形態に係るネットワークプラットフォーム１内の１又はそれ以上のサーバ並びにUE２の構成例について説明する。図７は、PSサーバ１１の構成例を示している。ネットワークプラットフォーム１内の他のサーバも、図７の構成と同様であってもよい。図７を参照すると、PSサーバ１１は、ネットワークインターフェース７０１、プロセッサ７０２、及びメモリ７０３を含む。ネットワークインターフェース７０１は、他のサーバ（e.g., PSユーザデータベース１２、及びSIPコア１３）、EPC３１内のノード（e.g., P-GW３１１、PCRF３１５、及びBM-SC３１６）、並びにその他のノードと通信するために使用される。ネットワークインターフェース７０１は、例えば、IEEE 802.3 seriesに準拠したネットワークインタフェースカード（NIC）を含んでもよい。
【００５５】
プロセッサ７０２は、メモリ７０３からソフトウェア（コンピュータプログラム）を読み出して実行することで、上述の実施形態において説明されたPSサーバ１１の処理を行う。プロセッサ７０２は、例えば、マイクロプロセッサ、Micro Processing Unit（MPU）、又はCentral Processing Unit（CPU）であってもよい。プロセッサ７０２は、複数のプロセッサを含んでもよい。
【００５６】
メモリ７０３は、揮発性メモリ及び不揮発性メモリによって構成される。メモリ７０３は、物理的に独立した複数のメモリデバイスを含んでもよい。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブ、又はこれらの任意の組合せである。メモリ７０３は、プロセッサ７０２から離れて配置されたストレージを含んでもよい。この場合、プロセッサ７０２は、ネットワークインターフェース７０１又は図示されていないI/Oインタフェースを介してメモリ７０３にアクセスしてもよい。
【００５７】
メモリ７０３は、上述の複数の実施形態で説明されたPSサーバ１１による処理を行うための命令群およびデータを含む１又はそれ以上のソフトウェアモジュール（コンピュータプログラム）７０４を格納してもよい。いくつかの実装において、プロセッサ７０２は、当該ソフトウェアモジュール７０４をメモリ７０３から読み出して実行することで、上述の実施形態で説明されたPSサーバ１１の処理を行うよう構成されてもよい。
【００５８】
図８は、UE２の構成例を示している。Radio Frequency（RF）トランシーバ８０１は、eNB３２１と通信するためにアナログRF信号処理を行う。RFトランシーバ８０１は、複数のトランシーバを含んでもよい。RFトランシーバ８０１により行われるアナログRF信号処理は、周波数アップコンバージョン、周波数ダウンコンバージョン、及び増幅を含む。RFトランシーバ８０１は、アンテナアレイ８０２及びベースバンドプロセッサ８０３と結合される。RFトランシーバ８０１は、変調シンボルデータ（又はOFDMシンボルデータ）をベースバンドプロセッサ８０３から受信し、送信RF信号を生成し、送信RF信号をアンテナアレイ８０２に供給する。また、RFトランシーバ８０１は、アンテナアレイ８０２によって受信された受信ＲＦ信号に基づいてベースバンド受信信号を生成し、これをベースバンドプロセッサ８０３に供給する。
【００５９】
ベースバンドプロセッサ８０３は、無線通信のためのデジタルベースバンド信号処理（データプレーン処理）とコントロールプレーン処理を行う。デジタルベースバンド信号処理は、(a) データ圧縮／復元、(b) データのセグメンテーション／コンカテネーション、(c) 伝送フォーマット（伝送フレーム）の生成／分解、(d) 伝送路符号化／復号化、(e) 変調（シンボルマッピング）／復調、及び(f) Inverse Fast Fourier Transform（IFFT）によるOFDMシンボルデータ（ベースバンドOFDM信号）の生成などを含む。一方、コントロールプレーン処理は、レイヤ１（e.g., 送信電力制御）、レイヤ２（e.g., 無線リソース管理、及びhybrid automatic repeat request（HARQ）処理）、及びレイヤ３（e.g., アタッチ、モビリティ、及び通話管理に関するシグナリング）の通信管理を含む。
【００６０】
例えば、ベースバンドプロセッサ８０３によるデジタルベースバンド信号処理は、Packet Data Convergence Protocol（PDCP）レイヤ、Radio Link Control（RLC）レイヤ、Medium Access Control（MAC）レイヤ、およびPhysical（PHY）レイヤの信号処理を含んでもよい。また、ベースバンドプロセッサ８０３によるコントロールプレーン処理は、Non-Access Stratum（NAS）プロトコル、Radio Resource Control（RRC）プロトコル、及びMAC Control Element（CE）の処理を含んでもよい。
【００６１】
ベースバンドプロセッサ８０３は、ビームフォーミングのためのMIMOエンコーディング及びプリコーディングを行ってもよい。
【００６２】
ベースバンドプロセッサ８０３は、デジタルベースバンド信号処理を行うモデム・プロセッサ（e.g., Digital Signal Processor（DSP））とコントロールプレーン処理を行うプロトコルスタック・プロセッサ（e.g., CPU又はMPU）を含んでもよい。この場合、コントロールプレーン処理を行うプロトコルスタック・プロセッサは、後述するアプリケーションプロセッサ８０４と共通化されてもよい。
【００６３】
アプリケーションプロセッサ８０４は、CPU、MPU、マイクロプロセッサ、又はプロセッサコアとも呼ばれる。アプリケーションプロセッサ８０４は、複数のプロセッサ（複数のプロセッサコア）を含んでもよい。アプリケーションプロセッサ８０４は、メモリ８０６又は図示されていないメモリから読み出されたシステムソフトウェアプログラム（Operating System（OS））及び様々なアプリケーションプログラム（例えば、通話アプリケーション、WEBブラウザ、メーラ、カメラ操作アプリケーション、音楽再生アプリケーション）を実行することによって、UE２の各種機能を実現する。
【００６４】
幾つかの実装において、図８に破線（８０５）で示されているように、ベースバンドプロセッサ８０３及びアプリケーションプロセッサ８０４は、１つのチップ上に集積されてもよい。言い換えると、ベースバンドプロセッサ８０３及びアプリケーションプロセッサ８０４は、１つのSystem on Chip（SoC）デバイス８０５として実装されてもよい。SoCデバイスは、システムLarge Scale Integration（LSI）またはチップセットと呼ばれることもある。
【００６５】
メモリ８０６は、揮発性メモリ若しくは不揮発性メモリ又はこれらの組合せである。メモリ８０６は、物理的に独立した複数のメモリデバイスを含んでもよい。揮発性メモリは、例えば、SRAM若しくはDRAM又はこれらの組み合わせである。不揮発性メモリは、MROM、EEPROM、フラッシュメモリ、若しくはハードディスクドライブ、又はこれらの任意の組合せである。例えば、メモリ８０６は、ベースバンドプロセッサ８０３、アプリケーションプロセッサ８０４、及びSoC８０５からアクセス可能な外部メモリデバイスを含んでもよい。メモリ８０６は、ベースバンドプロセッサ８０３内、アプリケーションプロセッサ８０４内、又はSoC８０５内に集積された内蔵メモリデバイスを含んでもよい。さらに、メモリ８０６は、Universal Integrated Circuit Card（UICC）内のメモリを含んでもよい。
【００６６】
メモリ８０６は、上述の複数の実施形態で説明されたUE２による処理を行うための命令群およびデータを含む１又はそれ以上のソフトウェアモジュール（コンピュータプログラム）８０７を格納してもよい。幾つかの実装において、ベースバンドプロセッサ８０３又はアプリケーションプロセッサ８０４は、当該ソフトウェアモジュール８０７をメモリ８０６から読み出して実行することで、上述の実施形態で図面を用いて説明されたUE２の処理を行うよう構成されてもよい。
【００６７】
なお、上述の実施形態で説明されたUE２によって行われるコントロールプレーン処理及び動作は、RFトランシーバ８０１及びアンテナアレイ８０２を除く他の要素、すなわちベースバンドプロセッサ８０３及びアプリケーションプロセッサ８０４の少なくとも一方とソフトウェアモジュール８０７を格納したメモリ８０６とによって実現されることができる。
【００６８】
図７及び図８を用いて説明したように、上述の実施形態に係るサーバ（e.g., PSサーバ１１）及びUE２が有するプロセッサの各々は、図面を用いて説明されたアルゴリズムをコンピュータに行わせるための命令群を含む１又は複数のプログラムを実行する。これらのプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、これらのプログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６９】
＜その他の実施形態＞
上述の実施形態は、各々独立に実施されてもよいし、適宜組み合わせて実施されてもよい。
【００７０】
上述の実施形態は、１又はそれ以上の公共安全関連（public safety-related）パブリックセーフティ・サービス（e.g., グループ通信サービス）を提供するLTEシステム（i.e., PS-LTEシステム）を主な対象として説明された。しかしながら、これらの実施形態は、LTE以外のセルラー通信ネットワークを使用する公衆安全システムに適用されてもよい。
【００７１】
さらに、上述の実施形態は、同一方式の又は異なる方式の複数のセルラー通信ネットワークを使用する公衆安全システムに適用されてもよい。一例では、複数のセルラー通信ネットワークのうち１つはプライベート・セルラー通信ネットワークであってもよく、他の１つは公衆セルラー通信ネットワークであってもよい。さらに又はこれに代えて、複数のセルラー通信ネットワークのうち１つはLTEネットワークであり、他の１つはLTE以外のセルラー通信ネットワークであってもよい。
【００７２】
上述した実施形態は本件発明者により得られた技術思想の適用に関する例に過ぎない。当該技術思想は、上述した実施形態のみに限定されるものではなく、種々の変更が可能である。
【００７３】
この出願は、２０１９年３月２２日に出願された日本出願特願２０１９−０５５０９３を基礎とする優先権を主張し、その開示の全てをここに取り込む。
【符号の説明】
【００７４】
１  ネットワークプラットフォーム
２  UE
３  LTEネットワーク
１１  PSサーバ
１２  PSユーザデータベース
１３  SIPコア
１４  SIPデータベース
３１  EPC
３２  E-UTRAN
７０２  プロセッサ
７０３  メモリ
８０３  ベースバンドプロセッサ
８０４  アプリケーションプロセッサ
８０６  メモリ
【図１】
2020194889.tif 000003
【図２】
2020194889.tif 000004
【図３】
2020194889.tif 000005
【図４】
2020194889.tif 000006
【図５】
2020194889.tif 000007
【図６】
2020194889.tif 000008
【図７】
2020194889.tif 000009
【図８】
2020194889.tif 000010
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
少なくとも１つのサーバを備えるシステムであって、
前記少なくとも１つのサーバは、
第１の無線端末で実行されているアプリケーションから、セルラー通信ネットワークによって提供される第１の通信路を介して、前記第１の無線端末及び第２の無線端末の間の通信セッションの要求を受信するよう構成され、
前記第１の無線端末に関連付けられた第１の優先度及び前記第２の無線端末に関連付けられた第２の優先度のうち一方又は両方に基づいて、前記通信セッションのために使用される前記第１の無線端末の第２の通信路及び前記第２の無線端末の第３の通信路の両方に適用されるべき共通優先度を決定するよう構成され、
前記共通優先度を満たす前記第２及び第３の通信路の確立を前記セルラー通信ネットワークに要求するよう構成され、
前記第２及び第３の通信路を介して前記通信セッションを前記第１及び第２の無線端末に提供するよう構成される、
システム。
【請求項２】
前記少なくとも１つのサーバは、前記第１の優先度と前記第２の優先度のうち高い方に従って前記共通優先度を決定する、
請求項１に記載のシステム。
【請求項３】
前記少なくとも１つのサーバは、前記第１の優先度に従って前記共通優先度を決定する、
請求項１に記載のシステム。
【請求項４】
前記少なくとも１つのサーバは、前記第２の優先度に従って前記共通優先度を決定する、
請求項１に記載のシステム。
【請求項５】
前記第１及び第２の優先度は、前記通信セッションを利用するアプリケーションに関する、
請求項１〜４のいずれか１項に記載のシステム。
【請求項６】
前記少なくとも１つのサーバは、第１及び第２のサーバを含み、
前記第１のサーバは、前記通信セッションの前記要求を前記第１の無線端末から受信し、前記通信セッションの確立を前記第２のサーバに要求するよう構成され、
前記第２のサーバは、前記第１のサーバからの前記要求に応答して、前記第１及び第２の優先度を確認し、前記共通優先度を決定し、前記共通優先度を満たす前記第２及び第３の通信路の確立を前記セルラー通信ネットワークに要求するよう構成される、
請求項１〜５のいずれか１項に記載のシステム。
【請求項７】
前記通信セッションは、前記第１及び第２の無線端末の間のpush-to-talk（PTT）セッション又は前記第１及び第２の無線端末を含む複数の無線端末の間のグループ通信セッションであり、
前記第１のサーバは、PTTサーバ又はGroup Communication System Application Server（GCS AS）であり、
前記第２のサーバは、Session Initiation Protocol（SIP）サーバである、
請求項６に記載のシステム。
【請求項８】
前記第１の通信路は、前記第１の無線端末と前記システムとの間でのシグナリングメッセージの転送に使用されるEvolved Packet System（EPS）ベアラであり、
前記第２の通信路は、前記第１の無線端末と前記システムとの間での前記通信セッションに関するデータパケットの転送に使用されるEPSベアラであり、
前記第３の通信路は、前記第２の無線端末と前記システムとの間での前記通信セッションに関するデータパケットの転送に使用されるEPSベアラである、
請求項１〜７のいずれか１項に記載のシステム。
【請求項９】
少なくとも１つのサーバを備えるシステムにより行われる方法であって、
第１の無線端末で実行されているアプリケーションから、セルラー通信ネットワークによって提供される第１の通信路を介して、前記第１の無線端末及び第２の無線端末の間の通信セッションの要求を受信すること、
前記第１の無線端末に関連付けられた第１の優先度及び前記第２の無線端末に関連付けられた第２の優先度のうち一方又は両方に基づいて、前記通信セッションのために使用される前記第１の無線端末の第２の通信路及び前記第２の無線端末の第３の通信路の両方に適用されるべき共通優先度を決定すること、
前記共通優先度を満たす前記第２及び第３の通信路の確立を前記セルラー通信ネットワークに要求すること、及び
前記第２及び第３の通信路を介して前記通信セッションを前記第１及び第２の無線端末に提供すること、
を備える、方法。
【請求項１０】
前記決定することは、前記第１の優先度と前記第２の優先度のうち高い方に従って前記共通優先度を決定することを含む
請求項９に記載の方法。
【国際調査報告】
2020194889.tif 000011
2020194889.tif 000012
2020194889.tif 000013
2020194889.tif 000014